(57)【要約】      （修正有）【課題】従来技術の欠点を解決することができるねじ締結具アセンブリを提供する。【解決手段】ねじ締結具（３）の軸部（３０）の自由端（３０２）がスリーブ（２）の第１の端部（２０）の外側へ延在するように、ねじ締結具（３）の頭部（３１）に締り嵌めによって嵌められた均一な厚さを有する弾性スリーブ（２）を含む。スリーブ（２）は、第２の端部（２１）を通してねじ回しのビットが自体の中へ延在することを許容する。ねじ締結具（３）の頭部（３１）の係合溝（３１０）はねじ回しのビットと係合し、これにより、ねじ回しは、ねじ締結具（３）とスリーブ（２）とからなるアセンブリを移動させ、回転させることができ、最終的に、スリーブ（２）の第１の端部（２０）が物体の表面と接触して、スリーブ（２）及び物体のねじ穴に対するねじ締結具（３）の移動を可能にする。【選択図】図２
0003133296.tif 000002
【実用新案登録請求の範囲】
【請求項１】
ねじ穴（１２１）を備えた表面（１２０）を有する物体（１２）とともに使用するように適合されたねじ締結具アセンブリであって、
互いに反対側にある接続端（３０１）と自由端（３０２）とを有する軸部（３０）と、該軸部（３０）の前記接続端（３０１）に接続された頭部（３１）とを有し、該頭部（３１）が、係合溝（３１０）を備えた係合面を有するねじ締結具（３）と、
均一な厚さを有し、反対側にある第１及び第２の端部（２０、２１；２０’、２１’）を有する弾性スリーブ（２、２’）であって、前記ねじ締結具（３）の前記軸部（３０）の前記自由端（３０２）が前記スリーブ（２、２’）の前記第１の端部（２０、２０’）の外側へ延在するように、前記ねじ締結具（３）の前記頭部（３１）に締り嵌めによって嵌められた弾性スリーブ（２、２’）と
を備え、
該スリーブ（２、２’）は、前記第２の端部（２１、２１’）を通してねじ回し（５）のビットが自体の中へ延在することを許容するように適合されており、更に、締り嵌めによって前記ねじ回し（５）に嵌められるように適合されており、前記ねじ締結具（３）の前記頭部（３１）の前記係合面の前記係合溝（３１０）は、前記ねじ回し（５）の前記ビットと係合するように適合されており、これにより、前記ねじ回し（５）は、前記ねじ締結具（３）と前記スリーブ（２、２’）とからなるアセンブリを移動させ、回転させることができ、最終的に、前記スリーブ（２、２’）の前記第１の端部（２０、２０’）が前記物体（１２）の前記表面（１２０）と接触して、前記スリーブ（２、２’）及び前記物体（１２）の前記ねじ穴（１２１）に対する前記ねじ締結具（３）の移動を可能にした、
ことを特徴とするねじ締結具アセンブリ。
【請求項２】
前記スリーブ（２’）の前記第２の端部（２１’）は円錐台形であり、前記スリーブ（２’）の前記第１の端部（２０’）に向かって次第に縮寸しており、前記スリーブ（２’）の中への前記ねじ回し（５）の挿入を誘導するように適合されていることを特徴とする請求項１に記載のねじ締結具アセンブリ。
【請求項３】
前記スリーブ（２’）の前記第１の端部（２０’）は円錐台形であり、前記スリーブ（２’）の前記第２の端部（２１’）に向かって次第に縮寸しており、前記スリーブ（２’）の中への前記ねじ締結具の前記頭部（３１）の挿入を誘導するように適合されていることを特徴とする請求項１に記載のねじ締結具アセンブリ。
【考案の詳細な説明】
【技術分野】
【０００１】
本出願は、２００６年４月２５日出願の台湾出願第０９５１１４７０６号の優先権を主張するものである。
【０００２】
本考案はねじ締結具（screw fastener）に関し、より具体的には、ねじ締結具アセンブリ（assembly）に関する。
【背景技術】
【０００３】
図１に、鼻パッド１００をパッド取付け座１３０に結合するのに従来のねじ１１を使用する眼鏡の一部分を示す。従来のねじ１１は一般に小さなサイズを有する。そのため、鼻パッド１００の組付け時に、このような小さなねじ１１をパッド取付け座１３０のねじ穴１３１と整列させることは難しく、他方、鼻パッド１００の取外し時に、ねじ回し１３を、従来のねじ１１の頭部１１１と整列させることも難しく、その結果、従来のねじ１１のねじ込み操作は厄介なものとなる。
【考案の開示】
【考案が解決しようとする課題】
【０００４】
従って、本考案の目的は、従来技術の上述の欠点を解決することができるねじ締結具アセンブリを提供することにある。
【課題を解決するための手段】
【０００５】
本考案によれば、物体とともに使用するように適合されたねじ締結具アセンブリが提供される。この物体は、ねじ穴を備えた表面を有する。このねじ締結具アセンブリは、
互いに反対側にある接続端と自由端とを有する軸部と、軸部の接続端に接続された頭部とを有し、頭部が、係合溝を備えた係合面を有するねじ締結具と、
均一な厚さを有し、反対側にある第１及び第２の端部を有する弾性スリーブであって、ねじ締結具の軸部の自由端がこのスリーブの第１の端部の外側へ延在するように、ねじ締結具の頭部に締り嵌めによって嵌められた弾性スリーブと、
を備えている。
【０００６】
スリーブは、第２の端部を通してねじ回しのビットが自体の中へ延在することを許容するように適合されており、更に、締り嵌めによってねじ回しに嵌められるように適合されている。ねじ締結具の頭部の係合面の係合溝は、ねじ回しのビットと係合するように適合されており、これにより、ねじ回しは、ねじ締結具とスリーブとからなるアセンブリを移動させ、回転させることができ、最終的に、スリーブの第１の端部が物体の表面と接触して、スリーブ及び物体のねじ穴に対するねじ締結具の移動を可能にする。
【０００７】
本考案の他の特徴及び利点は、添付図面を参照した好ましい実施形態の以下の詳細な説明から明白となろう。
【考案を実施するための最良の形態】
【０００８】
本考案を詳細に説明する前に、本開示の全体を通じ同様の要素は同じ参照符号によって指示されることに触れておく。
【０００９】
図２及び３を参照すると、物体とともに使用するように適合された本考案に基づくねじ締結具アセンブリの第１の好ましい実施形態が示されている。この実施形態では、この物体が、鼻パッド１０を取り付けるための眼鏡のパッド取付け座１２である。パッド取付け座１２は、ねじ穴１２１を備えた表面１２０を有する。このねじ締結具アセンブリは、ねじ締結具３と弾性スリーブ（resilient sleeve）２とを含む。
【００１０】
鼻パッド１０をパッド取付け座１２に結合するのに適した小さなねじ等のねじ締結具３は、互いに反対側にある接続端３０１と自由端３０２とを有する軸部３０と、軸部３０の接続端３０１に接続された頭部３１とを有する。頭部３１は、係合溝３１０を備えた係合面を有する。
【００１１】
弾性スリーブ２は均一な厚さを有し、反対側にある第１及び第２の端部２０、２１を有する。スリーブ２は、ねじ締結具３の軸部３０の自由端３０２がスリーブ２の第１の端部２０の外側へ延在するように、ねじ締結具３の頭部３１に締り嵌めによって嵌められる。
【００１２】
実際の使用では、図３に示すように、スリーブ２が、第２の端部２１を通してねじ回し５のビット（ｂｉｔ）５０がスリーブ２の中へ延在することを許容するように適合され、更に、締り嵌めによってねじ回し５に嵌められるように適合される。ねじ締結具３の頭部３１の係合面の係合溝３１０は、ねじ回し５のビット５０と係合するように適合され、これにより、ねじ回し５は、図４に示すように、ねじ締結具３とスリーブ２とからなるアセンブリを移動させ、回転させることができ、最終的に、スリーブ２の第１の端部２０がパッド取付け座１２の表面１２０と接触して、図５に示すように、スリーブ２及びパッド取付け座１２のねじ穴１２１に対するねじ締結具３の移動を可能にする。
【００１３】
図６に、本考案に基づくねじ締結具アセンブリの第２の好ましい実施形態を示す。これは、第１の好ましい実施形態の変更形態である。この実施形態では、図７に示すように、スリーブ２’の第２の端部２１’が円錐台形であり、スリーブ２’の第１の端部２０’に向かって次第に縮寸しており、スリーブ２’の中へのねじ回し５の挿入を誘導するように適合されている。更に、図８に示すように、スリーブ２’の第１の端部２０’が円錐台形であり、スリーブ２’の第２の端部２１’に向かって次第に縮寸しており、パッド取付け座１２に結合されたねじ締結具３をパッド取付け座１２から遠ざけるときのスリーブ２’の中へのねじ回し５の頭部３１の挿入を誘導するように適合されている。
【００１４】
要するに、スリーブ２、２’の存在によって、比較的に小さなサイズを有するねじ締結具３を、パッド取付け座１２のねじ穴１２１に容易かつ正確にねじ込むことができる。
【００１５】
最も実用的で最も好ましい実施形態と考えられるものについて本考案を説明したが、本考案は開示された実施形態に限定されないこと、及び、本考案は、最も幅広い解釈の趣旨及び範囲に含まれるさまざまな配置をカバーし、このような全ての変更及び等価の配置を包含することが意図されていることを理解されたい。
【図面の簡単な説明】
【００１６】
【図１】眼鏡のパッド取付け座に鼻パッドを結合するためにパッド取付け座の中にねじ込まれるときの従来のねじを示す部分斜視図である。
【図２】本考案に基づくねじ締結具アセンブリの第１の好ましい実施形態を示す斜視図である。
【図３】パッド取付け座に鼻パッドを固定するために使用されたときの第１の好ましい実施形態を示す部分斜視図である。
【図４】ねじ締結具がパッド取付け座のねじ穴と整列したときの第１の好ましい実施形態を示す部分概略断面図である。
【図５】ねじ締結具がパッド取付け座のねじ穴にねじ込まれたときの第１の好ましい実施形態を示す部分概略断面図である。
【図６】本考案に基づくねじ締結具アセンブリの第２の好ましい実施形態を示す斜視図である。
【図７】弾性スリーブがねじ回しに嵌められたときの第２の好ましい実施形態を示す部分概略断面図である。
【図８】ねじ締結具がパッド取付け座の中にねじ込まれたときの第２の好ましい実施形態を示す部分概略断面図である。
【符号の説明】
【００１７】
２  弾性スリーブ
２’  弾性スリーブ
３  ねじ締結具
５  ねじ回し
１０  鼻パッド
１１  従来のねじ
１２  パッド取付け座
１３  ねじ回し
２０  弾性スリーブ２の第１の端部
２０’  弾性スリーブ２’の第１の端部
２１  弾性スリーブ２の第２の端部
２１’  弾性スリーブ２’の第２の端部
３０  ねじ締結具３の軸部
３１  ねじ締結具３の頭部
５０  ねじ回し５のビット
１００  鼻パッド
１１１  従来のねじ１１の頭部
１２０  パッド取付け座１２の表面
１２１  パッド取付け座１２のねじ穴
１３０  パッド取付け座
１３１  パッド取付け座１３０のねじ穴
３０１  軸部３０の接続端
３０２  軸部３０の自由端
３１０  頭部３１の係合溝
【図１】
0003133296.tif 000003
【図２】
0003133296.tif 000004
【図３】
0003133296.tif 000005
【図４】
0003133296.tif 000006
【図５】
0003133296.tif 000007
【図６】
0003133296.tif 000008
【図７】
0003133296.tif 000009
【図８】
0003133296.tif 000010